(57)【要約】【課題】複数枚のスラットを一連状に連結したシャッターカーテンを、巻取りドラムに巻取り、巻出ししてなる建築用シャッター装置において、騒音防止、部材の保護が図れるように構成する。【解決手段】巻取りドラム３、または、該巻取りドラム３に既に巻装されたシャッターカーテン１であるドラム部材Ｄと、該巻取りドラム３、または、ドラム部材Ｄから延出するシャッターカーテン１との間に位置し、ドラム部材Ｄの巻径の変化に追随して変位する変位手段を介してスラットガイド７を設ける構成とする。【選択図】図１
2010196365.tif 000002
【特許請求の範囲】
【請求項１】
複数枚のスラットを一連状に連結したシャッターカーテンを、巻取りドラムに巻取り、巻出ししてなる建築用シャッター装置において、巻取りドラム、または、該巻取りドラムに既に巻装されたシャッターカーテンであるドラム部材と、該巻取りドラム、または、ドラム部材から延出するシャッターカーテンとの間に位置し、ドラム部材の巻径の変化に追随して変位する変位手段を介して緩衝部材を設けたことを特徴とする建築用シャッター。
【請求項２】
緩衝部材は、湾曲形状に形成されており、ドラム部材から延出するシャッターカーテンの延出基端側の先端部ほど板厚が薄い薄板状部に形成され、該薄板状部とドラム部材とにより連続面が形成されていることを特徴とする請求項１に記載の建築用シャッター。
【請求項３】
緩衝部材は、ドラム部材側の面に、巻取りドラムの外周面に沿う第一湾曲面と、ドラム部材の最大径に沿う第二湾曲面とが形成されている請求項１または２に記載の建築用シャッター。
【請求項４】
緩衝部材は、付勢手段によりドラム部材側に向けて付勢されていることを特徴とする請求項１乃至３の何れか１項に記載の建築用シャッター。
【発明の詳細な説明】
【技術分野】
【０００１】
本発明は、建築物の出入り口部等、躯体開口部に設けられる建築用シャッターの技術分野に関するものである。
【背景技術】
【０００２】
一般に、建築物の出入り口部等の開口部に設けられる建築用シャッターのなかには、複数枚のスラットを揺動自在に連結してシャッターカーテンを構成するとともに、シャッターカーテンを巻取りドラムに連結し、該巻取りドラムの正逆回転に伴いシャッターカーテンを巻取り、巻出しすることにより開口部を開閉するように構成したものがある。このようなものにおいて、シャッターカーテン、シャッターカーテンの左右両側部の移動案内をするガイドレール、シャッターカーテンを巻取る巻取りドラムは、それぞれ金属製であるが故に、これらが互いに接触、干渉することにより騒音が発生するばかりでなく、損傷する惧れがあって問題がある。そこで、シャッターカーテンを構成する各スラットには、巻取りドラムに巻装される巻取り姿勢で巻取りドラム側の面となる内側面の左右両端部に位置して、樹脂製の基台部と、高弾性材料であるゴム製の緩衝部とを備えて構成される端部材を設け、スラットが、巻取りドラム、および、巻取りドラムに既に巻取られているドラム部材に直接接触することがないようにして、騒音防止とともに各部材の保護が図れるようにしたものが提唱されている。
【先行技術文献】
【特許文献】
【０００３】
【特許文献１】特開２００５−１１３５１４号公報
【発明の概要】
【発明が解決しようとする課題】
【０００４】
しかしながら、前記従来の端部材は、基台とゴム製の緩衝部との二部材を用いる構成であるうえ、ゴム製の緩衝部とガイドレールとの摺動を確保するため、緩衝部に被覆層を別途形成する構成としている。このため、端部材の構成が複雑になって製造工程数が多くなり、コスト高になるという問題がある。さらには、端部材は、各スラットが巻取りドラムに当接することがないようスラットから内方に向けて突出するように設けられているが、緩衝部は高弾性ではあるものの圧縮性に乏しいため、シャッターカーテンが巻取りドラムに巻取られたとき、その巻径が、スラットから端部材が突出する分だけ大径となってしまい、シャッターケースを大型化せざるを得ないという別な問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、複数枚のスラットを一連状に連結したシャッターカーテンを、巻取りドラムに巻取り、巻出ししてなる建築用シャッター装置において、巻取りドラム、または、該巻取りドラムに既に巻装されたシャッターカーテンであるドラム部材と、該巻取りドラム、または、ドラム部材から延出するシャッターカーテンとの間に位置し、ドラム部材の巻径の変化に追随して変位する変位手段を介して緩衝部材を設けたことを特徴とする建築用シャッターである。
請求項２の発明において、緩衝部材は、湾曲形状に形成されており、ドラム部材から延出するシャッターカーテンの延出基端側の先端部ほど板厚が薄い薄板状部に形成され、該薄板状部とドラム部材とにより連続面が形成されていることを特徴とする請求項１に記載の建築用シャッターである。
請求項３の発明において、緩衝部材は、ドラム部材側の面に、巻取りドラムの外周面に沿う第一湾曲面と、ドラム部材の最大径に沿う第二湾曲面とが形成されている請求項１または２に記載の建築用シャッターである。
請求項４の発明において、緩衝部材は、付勢手段によりドラム部材側に向けて付勢されていることを特徴とする請求項１乃至３の何れか１項に記載の建築用シャッターである。
【発明の効果】
【０００６】
請求項１の発明とすることにより、シャッター装置を大型化することなく、静粛な巻取り作動ができ、しかも、スラットの保護が図れるようにすることができる。
請求項２の発明とすることにより、シャッターカーテンの開閉作動を一層静粛、かつ、円滑にすることができる。
請求項３の発明とすることにより、緩衝部材の変位が確実になされて、信頼性の高い騒音防止をすることができる。
請求項４の発明とすることにより、緩衝部材の変位が一層確実、かつ、円滑になる。
【図面の簡単な説明】
【０００７】
【図１】シャッターカーテンの全閉状態におけるシャッター装置の一部切欠き断面図である。
【図２】図２（Ａ）、（Ｂ）はそれぞれスラットの屋外側からの正面図、側面図である。
【図３】図１の要部拡大正面図である。
【図４】図４（Ａ）、（Ｂ）、（Ｃ）はそれぞれスラットガイドの側面図、背面図、平面図である。
【図５】シャッターカーテンの巻取りドラムへの巻取り状態を説明する側面図である。
【図６】シャッターカーテンの全開状態におけるシャッター装置の一部切欠き断面図である。
【図７】第二の実施の形態のシャッターカーテンの全閉状態におけるシャッター装置の一部切欠き断面図である。
【発明を実施するための形態】
【０００８】
以下、本発明の実施の形態について、図面に基づいて説明する。
図面において、１は建築用シャッターを構成するシャッターカーテンであって、該シャッターカーテン１は、複数枚の長尺状のスラット２をインターロック結合することにより互いに揺動自在となる状態で一連状に連結された構成となっている。前記シャッターカーテン１は、最上端に位置するスラット２が巻取りドラム３に連結される一方、各スラット２（シャッターカーテン１）の長尺方向両端部（左右両端部）が開口部の左右に立設した一対のガイドレール４の各ガイド溝４ａに嵌挿されている。そして、シャッターカーテン１は、前記巻取りドラム３が正逆回転することに伴い、ガイドレール４の移動案内を受けて上下昇降動（開閉作動）し、開口部に伸長して開口部を閉鎖する全閉姿勢と、巻取りドラム３に巻取られて開口部を開放する全開姿勢とに変姿するように構成されており、これらは何れも従来通りの構成となっている。
【０００９】
前記スラット２は、左右方向に長い長尺体に形成された金属材をロールフォーミングすることによって形成されるものであり、図２に示すように、屋外側（外側）に向けて膨出するよう湾曲状に形成されたスラット片部２ａと、該スラット片部２ａの上下縁部（短尺方向両端部）に形成される側面視ロール形状の第一、第二連結片部（インターロック片）２ｂ、２ｃとにより構成されている。そして、シャッターカーテン１は、下側に位置するスラット２の第一連結片部２ｂと、上側に位置するスラット２の第二連結部２ｃとを左右方向からスライド嵌入することにより、隣接するスラット２同士の揺動自在な連結（インターロック結合）がなされるように構成されている。
また、各スラット２の第一連結片部２ｂの左右方向両端部には、貫通孔２ｄが形成されるとともに、該貫通孔２ｄの左右方向外方の孔縁部位を屋外側に向けて変形することにより係止片２ｅが形成されている。これに対し、各スラット２の第二連結片部２ｃには、左右方向両端部を左右方向内方に向けて切欠くことにより係止受け片２ｆが形成されている。そして、隣接するスラット２の第一、第二連結片部２ｂ、２ｃ同士の連結部において、図３に示すように、係止受け片２ｆが屋外側に変形した係止片２ｅに係止するように構成されており、これによって、各スラット２が左右方向に位置ズレすることがなく、かつ、抜止めされるように構成されている。
【００１０】
前記巻取りドラム３は、開口部上方に設けられるシャッターケース５に回転自在に収容されるものであるが、シャッターケース５の左右側片となる左右一対の支持ブラケット６に支持されている。
また、前記左右一対のガイドレール４は、屋内外方向に対向する一対の溝側片４ｂと、これらを連結する溝底片４ｃとにより、左右方向内方が開口する略コ字形状のガイド溝４ａが形成されている。そして、左右のガイドレール４の上端部は、それぞれシャッターケース５内に入り込むように設けられており、該部位における一対の溝側片４ｂは、上方ほど対向間隔が広いガイド片４ｄとなって、巻取りドラム３とガイド溝４ａとの間をガイドするように構成されている。
ここで、左右のガイドレール４は、それぞれ巻取りドラム３よりも屋外側に位置して設けられており、巻取りドラム３外周面の屋外側における直下（巻取りドラム３の屋外側における接線方向）にガイド溝４ａが位置するように配設されている。
【００１１】
ところで、シャッターカーテン１を巻取りドラム３に巻取る場合に、スラット２は上下方向に任意のスラット幅を有して形成される一方、巻取りドラム３、または、既に巻取りドラム３に巻装されているスラット２に相当するドラム部材Ｄは曲面状の外周面となっている。このため、各スラット２は、ドラム部材Ｄに巻取られる状態では、任意の部位がドラム部材Ｄに当接することになるが、前記任意の部位は、巻取りドラム３への巻取り作動の過程でドラム部材Ｄに対して所定の振れ幅を存して当接することになり、その当接時の金属材同士の当接音が騒音となる。この場合に、スラット２のドラム部材Ｄに当接する部位は、スラット２の内側の形状とドラム部材Ｄ外周の曲率との関係から設定されるものであり、当接部位の間隔が長くなるほど該当接部位がドラム部材Ｄに当接するときの振れ幅が大きくなって騒音も大きくなる。
尚、本実施の形態のスラット２は、スラット片部２ａが外側に向けて膨出する形状に形成されているとともに、スラット片部２ａの下方部位であって第二連結片部２ｃに近い部位に、内側に向けて鋭角状に突出する突片２ｇが形成されており、該突片２ｇがドラム部材Ｄに当接する部位となって巻取られるように構成されている。
【００１２】
そして、ドラム部材Ｄと、該ドラム部材Ｄから延出する（ドラム部材Ｄに巻取られようとする）シャッターカーテン１（スラット２）との間に、本発明が実施された緩衝部材としてのスラットガイド７が設けられている。本実施の形態では、スラットガイド７は左右一対のものが用いられており、これら各スラットガイド７は、ドラム部材Ｄから延出するシャッターカーテン１の左右両端部とドラム部材Ｄとの間にそれぞれ配設されている。
尚、スラットガイド７は左右対称状のものが、左右の支持ブラケット６に対してそれぞれ同様に支持される構成となっているので、ここでは、図１に示す左側の支持ブラケット６に設けられるスラットガイド７の構成について説明し、他方については省略する。
【００１３】
前記スラットガイド７は樹脂製であって、ドラム部材Ｄに沿うよう湾曲形状に形成されて、屋内外側方向を向く面が湾曲状（湾曲面）となっている。前記スラットガイド７の上端部には、図４に示すように、屋内外両側部位を傾斜状に削ぎ落とすことにより上端ほど薄板状となった薄板状部７ａが形成されている。前記薄板状部７ａの屋内側面となるドラム部材Ｄ側の面は、巻取りドラム３に面接触するべく、該巻取りドラム３の曲率と略同様の曲率に設定された第一湾曲面７ｂに形成されている。さらに、薄板状部７ｂの下方の屋内側面は、前記第一湾曲面７ｂよりも曲率が大きく、シャッターカーテン１が開口部を全開状態としたときのドラム部材Ｄの外周に沿うべくドラム部材Ｄの最大径の曲率と略同様の曲率に設定された第二湾曲面７ｃに形成されている。一方、薄板状部７ａの屋外側面となるシャッターカーテン１側の面は、上端ほど屋内側に偏寄する傾斜面７ｄに形成され、該傾斜面７ｄの下方の屋外側面は、第二湾曲面７ｃと同様か、それよりも僅かに大きな曲率に設定された第三湾曲面７ｅに形成されている。さらに、薄板状部７ａの先細状の先端（上端）は、コーナー部を切欠くことによりＲ状部７ｆに形成されている。
【００１４】
このように構成された各スラットガイド７は、本実施の形態では、シャッターケース５を構成する左側の支持ブラケット６に片持ち状に支持されて、スラットガイド７の左右方向内側部位が巻取りドラム３とドラム部材Ｄから延出するシャッターカーテン１の左右端部との間に位置するように構成されている。
つまり、支持ブラケット６は所定の板厚を有したプレート体で構成されており、該支持ブラケット６には、支持される巻取りドラム３の軸芯位置Ｃを基準として、該軸芯位置Ｃより下方部位で、かつ、屋外側に位置して屋内外方向に長い第一、第二長孔６ａ、６ｂが上下に並列して設けられている。
【００１５】
一方、スラットガイド７の左側端面７ｇには、前記支持ブラケット６の第一、第二長孔６ａ、６ｂに支持される第一、第二ローラ８、９が上下に隣接して突設されている。前記第一、第二ローラ８、９は、スラットガイド７の左側端面７ｇから左側に向けて突出する第一、第二支軸８ａ、９ａの突出端部に、回転自在で、かつ、軸芯方向の位置決め、抜止めがなされた状態で支持されるように構成されている。そして、第一、第二ローラ８、９は、前記第一、第二長孔６ａ、６ｂの短尺方向の孔幅より長い直径となるように形成されているとともに、外周面の軸方向中間部に位置して、第一、第二長孔６ａ、６ｂの孔縁に外嵌する第一、第二係合溝８ｂ、９ｂが内径側に向けて凹設されている。そして、各第一、第二ローラ８、９の第一、第二係合溝８ｂ、９ｂを、支持ブラケット６の第一、第二長孔６ａ、６ｂの孔縁に嵌め込むことにより、第一、第二ローラ８、９が第一、第二長孔６ａ、６ｂから抜止めされるとともに、第一、第二長孔６ａ、６ｂの孔縁を長尺方向に移動自在（摺動自在）に支持されるように構成されており、これによって、スラットガイド７は、支持ブラケット６に対して屋内外方向に移動自在な状態で片持ち状に支持される構成となり、該構成が本発明の変位手段を構成している。
【００１６】
そして、スラットガイド７は、第一ローラ８が屋外側に、第二ローラ９が屋内側となるよう、第一、第二ローラ８、９が屋内外方向に位置ズレする状態で第一、第二長孔６ａ、６ｂに支持されるように構成されており、このように支持されることにより、スラットガイド７は、上端部が屋外側に、下端部が屋内側に偏寄する傾斜姿勢となって支持される構成となっている。このとき、スラットガイド７の巻取りドラム３に対する位置は、上端部となるＲ状部７ｆが巻取りドラム３の軸芯位置Ｃ、あるいは、軸芯位置よりも下方に位置するように設定されている。さらに、第一、第二ローラ８、９と第一、第二長孔６ａ、６ｂとは、第一、第二係合溝８ｂ、９ｂが第一、第二長孔６ａ、６ｂの短尺方向の孔幅に対してガタつきのないように組込まれている。これによって、第一、第二ローラ８、９が第一、第二長孔６ａ、６ｂ内において屋内外方向に変位する場合に、第一、第二ローラ８、９の前記屋内外方向の位置ズレを保持する状態で変位するように構成されており、スラットガイド７は前記傾斜姿勢を保持する状態で第一、第二長孔６ａ、６ｂ内を長尺方向に移動するように構成されている。
【００１７】
そして、シャッターカーテン１が開口部を全閉状態とする場合では、最上端のスラット２が巻取りドラム３から延出する状態となっており、スラットガイド７は、図１に示すように、最上端のスラット２と巻取りドラム３との間に位置している。このとき、スラットガイド７は、第二湾曲面７ｃが巻取りドラム３に干渉することはないが、薄板状部７ａの第一湾曲面７ｂが巻取りドラム３の屋外側の軸芯位置Ｃよりも下方部位に対して面接触する一方、最上端のスラット２の下方の突片２ｇがスラットガイド７の屋外側面である第三湾曲面７ｅに当接する状態となっており、これによって、スラットガイド７がシャッターカーテン１と巻取りドラム３とに挟持される状態となっている。さらに、スラットガイド７は、巻取りドラム３に対してシャッターカーテン１の巻出し方向に連結された状態となって、巻取りドラム３外周面とスラットガイド７の屋外側面である傾斜面７ｄと第三湾曲面７ｅとが連続する面（連続面）を形成するように構成されている。
【００１８】
この状態からシャッターカーテン１の開放作動がなされると、最上端スラット２の突片２ｇは、第三湾曲面７ｅ、薄板状部７ａの傾斜面７ｄを摺動する状態で巻取りドラム３の外周面に巻取られるように構成されている。以降、最上端スラット２以下のスラット２は、突片２ｇが予めスラットガイド７の第三湾曲面７ｅに当接した後、第三湾曲面７ｅ、薄板状部７ａの傾斜面７ｄを摺動して、傾斜面７ｄに連続する巻取りドラム３またはドラム部材Ｄの外周面に至るように構成されている。これによって、スラット２は、突片２ｇが樹脂製のスラットガイド７に当接して緩衝され、その後は、巻取りドラム３に対して振れ幅を存して当接することがなくなり、突片２ｇが金属製の巻取りドラム３またはドラム部材Ｄに当接することで発生する騒音が防止され、かつ、スラット２が傷付けられるようなことが防止されるように構成されている。
【００１９】
このとき、シャッターカーテン１の開放作動が進行するに従いドラム部材Ｄの巻径が次第に大径になり、これに対し、スラットガイド７は、ドラム部材Ｄの外周面に当接しているため、ドラム部材Ｄが大径になるに従い屋外側に押しやられる負荷を受けて、第一、第二ローラ８、９が第一、第二長孔６ａ、６ｂを屋外側に向けて変位することで、前記傾斜姿勢を保持した状態で屋外側に変位するように構成されている。これによって、巻取りドラム３に巻装されるスラット２は、突片２ｇがスラットガイド７の第三湾曲面７ｅ、傾斜面７ｄを摺動してドラム部材Ｄに至り、ドラム部材Ｄに巻装されることにより、突片２ｇとドラム部材Ｄとの当接に基づく騒音の防止、さらには、スラット２の保護が図れるように構成されている。そして、このとき、スラットガイド７は、ドラム部材Ｄの屋外側に押しやられていて、ドラム部材Ｄに巻取られることがなく、これによって、ドラム部材Ｄの巻径が大径になるような不具合がないように構成されている。
尚、ドラム部材Ｄの巻径が変化するとドラム部材Ｄ外周面の曲率も変化するが、スラットガイド７には、第一湾曲面７ｂの下方に曲率の大きい第二湾曲面７ｃが形成され、スラットガイド７のドラム部材Ｄに当接する部位が、ドラム部材Ｄが大径になるに従い第一湾曲面７ｂから第二湾曲面７ｃに変化するように構成されている。これによって、ドラム部材Ｄとスラットガイド７とが確実に当接する状態が保持されて、スラットガイド７の屋外側への変位が円滑になされるように構成されている。
因みに、各スラット２の突片２ｇは、振れ幅を存して第三湾曲面７ｄに当接することになるが、第三湾曲面７ｄへの当接は樹脂材への当接となるため騒音、損傷は防止される。
【００２０】
そして、シャッターカーテン１が開口部を全開状態とする場合では、スラットガイド７は、図６に示すように、ガイドレール４よりも屋外側に向けて巻上げられたシャッターカーテン１とドラム部材Ｄとの間に位置している。このとき、スラットガイド７は、Ｒ状部７ｆがドラム部材Ｄの外周面に近接し、かつ、第二湾曲面部７ｃがドラム部材Ｄ外周面に当接する一方、シャッターカーテン１の下方側のスラット２の突片２ｇが第三湾曲面７ｅに当接する状態となっており、これによって、スラットガイド７がシャッターカーテン１とドラム部材Ｄとで挟持される状態となっている。さらに、スラットガイド７は、ドラム部材Ｄに対してシャッターカーテン１の巻出し方向に連結された状態となって、ドラム部材Ｄ外周面と、スラットガイド７の屋外側面である傾斜面７ｄと第三湾曲面７ｅとが連続する面（連続面）を形成するように構成されている。
この状態からシャッターカーテン１の閉鎖作動がなされると、ドラム部材Ｄから延出するスラット２は、突片２ｇがスラットガイド７の傾斜面７ｄ、第三湾曲面７ｅを摺動しながら繰出されるように構成されている。このとき、シャッターカーテン１が巻出されることでドラム部材Ｄの巻径が小さくなる一方、シャッターカーテン１はスラットガイド７の屋外側面に当接しており、スラットガイド７には、閉鎖作動するシャッターカーテン１により屋内側に向く負荷が作用しており、スラットガイド７は、前記負荷を受けて屋内側に変位して、シャッターカーテン１が全閉状態となることに伴い、図１に示すように、スラットガイド７の第一湾曲面７ｂが巻取りドラム３の外周面に当接するように構成されている。
尚、スラットガイド７の上端部は薄板状部７ａに形成されるとともに、上端がＲ状部７ｆに形成されていて、シャッターカーテン１がスラットガイド７と巻取りドラム３とのあいだを移動する作動が、一層円滑、かつ、静粛になされるように構成されている。
【００２１】
叙述の如く構成された本形態において、シャッターカーテン１の開放作動によりシャッターカーテン１が巻取りドラム３に巻装される場合に、シャッターカーテン１の各スラット２は、樹脂製のスラットガイド７の屋外側の第三湾曲面７ｅに当接して緩衝された後、該第三湾曲面７ｅ、薄板状部７ａの屋外側面である傾斜面７ｄを摺動し、該傾斜面７ｄに連続するドラム部材Ｄ（巻取りドラム３）の外周面に至る構成となっていて、スラット２が振れ幅を存して巻取りドラム３に当接するようなことがない。この結果、金属材同士の当接音が防止されて静粛な巻取り作動がなされるとともに、スラットの保護を図ることができるものでありながら、スラットガイド７がドラム部材Ｄの巻径を大きくすることがなく、シャッターケース５が大型化するような不具合を確実に防止できる。
【００２２】
このように、本発明が実施されたものにあっては、スラット２は予め樹脂製のスラットガイド７に当接し、緩衝されてから、スラットガイド７に連続するドラム部材Ｄ外周面に巻装する構成となり、シャッターカーテン１の巻取り作動の過程での騒音の防止と、スラット２の保護とが図れるようにしたものであるが、このものでは、スラットガイド７の上端部であって、シャッターカーテン１の巻取りドラム３からの延出基端部側部位が薄板状部７ａに形成されており、薄板状部７ａとドラム部材Ｄとが連続面を形成しているので、シャッターカーテン１がスラットガイド７と巻取りドラム３とのあいだを、一層静粛に、かつ、円滑に移動することができる。
【００２３】
さらに、このものでは、スラットガイド７の薄板状部７ａの屋内側面に巻取りドラム３の外周面に沿う第一湾曲面７ｂが形成され、第一湾曲面７ｂの下方に最大径のドラム部材Ｄの外周面に沿う第二湾曲面７ｃが形成されているので、スラットガイド７とドラム部材Ｄとの当接が確実で、スラットガイド７の屋外側への変位が確実になされて、信頼性の高い騒音防止をすることができる。
【００２４】
また、このものでは、スラットガイド７を左右一対の支持ブラケット６に設ける構成としたので、スラットガイド７を片持ち状に支持することで左右両端部に分割したものとすることができ、緩衝部材の小型化を図れる。
【００２５】
尚、本発明は前記実施の形態に限定されないことは勿論であって、図７に示す第二の実施の形態のようにすることもできる。尚、第二の実施の形態において、前記第一の実施の形態と同様の構成については同様の符号を付すことで説明を省略する。
前記第二の実施の形態において、支持ブラケット６の第一、第二貫通孔６ａ、６ｂにはそれぞれ第一、第二付勢弾機１０、１１が介装されていて、第一、第二ローラ８、９を屋内側に向けて付勢するように構成されている。これによって、スラットガイド７はドラム部材Ｄ側に向けて付勢されており、シャッターカーテン１を閉鎖作動する場合では、シャッターカーテン１による屋内側への押圧力とともに、付勢弾機１０による付勢力を受け、スラットガイド７がドラム部材Ｄに密着した状態が保持されることになって、シャッターカーテン１の閉鎖作動の過程で、スラットガイド７がシャッターカーテン１の閉鎖作動の邪魔になる、即ち、スラットガイド７とドラム部材Ｄとの連結状態が損なわれて、閉鎖作動するシャッターカーテン１の連結部が、スラットガイド７の上端のＲ状部７に引っ掛かってしまうような不具合を確実に回避することができて、シャッターカーテン１の閉鎖作動を一層円滑にすることができる。
【００２６】
また、前記第一、第二の実施の形態のものは、緩衝部材としてのスラットガイドを左右方向に短いものとし、それぞれの緩衝部材を支持ブラケットに片持ち状に支持する構成となっているが、緩衝部材を分割することなく、シャッターカーテンの左右幅方向全長にわたって設ける構成としてもよく、この場合では、緩衝部材の両端部を支持ブラケットに支持させることにより、緩衝部材を両持ち状に支持することができる。
さらに、緩衝部材は、シャッターケースの支持ブラケットに支持させる構成の他に、緩衝部材をシャッターカーテンの左右幅方向全長に対応するものとし、その両端部を、シャッターケースの上側側片に変位手段を介して支持させる構成とすることも可能である。
【産業上の利用可能性】
【００２７】
本発明は、シャッターカーテンを巻取りドラムに巻装することで開口部を開閉する建築用シャッターに利用することができる。
【符号の説明】
【００２８】
１  シャッターカーテン
２  スラット
３  巻取りドラム
４  ガイドレール
５  シャッターケース
６  支持ブラケット
６ａ  第一長孔
６ｂ  第二長孔
７  スラットガイド
７ａ  薄板状部
７ｂ  第一湾曲面
７ｃ  第二湾曲面
７ｄ  傾斜面
７ｅ  第三湾曲面
７ｆ  Ｒ状部
８  第一ローラ
８ｂ  第一係合溝
９  第二ローラ
【図１】
2010196365.tif 000003
【図２】
2010196365.tif 000004
【図３】
2010196365.tif 000005
【図４】
2010196365.tif 000006
【図５】
2010196365.tif 000007
【図６】
2010196365.tif 000008
【図７】
2010196365.tif 000009